【手続補正書】
【提出日】令和2年12月4日(2020.12.4)
【手続補正１】
【補正対象書類名】特許請求の範囲
【補正対象項目名】全文
【補正方法】変更
【補正の内容】
【特許請求の範囲】
【請求項１】
ヒトの目（１５０）の熟視方向を得るための装置（１００）であって、
前記装置は、
（ａ）透明材料から形成され、内面反射によって光をガイドするために対の平行面（１０４ａ、１０４ｂ）を有する導光光学素子またはＬＯＥ（１２０）であって、前記平行面の１つが目に対して対向して展開された導光光学素子またはＬＯＥ；
（ｂ）前記ＬＯＥに関連した内結合構成（１４５）であって、前記ＬＯＥの内部で広がるように内結合領域内の前記平行面の１つで入射光の広がりを内結合するように構成された内結合構成；
（ｃ）前記ＬＯＥに関連づけられ、前記ＬＯＥの内で広がる平行光線のセットを捕らえられた光の集束ビームに変換するために構成された集光部（１０６）；
（ｄ）前記捕らえられた光を感知するために展開された光学センサ（１２５）；及び
（ｅ）少なくとも１つのプロセッサーを含む処理システム（１０８）であって、当該処理システムは前記光学センサに電気的に関連付けられ、目の現在の熟視方向を得るために前記光学センサからの信号を処理するように構成された処理システム
を含み、
前記内結合構成は前記ＬＯＥ内で広がる光線を生成するように構成され、各光線は対応する入射光線の入射方向を示す方向を有し、複数の離間した平行な入射光線が、前記ＬＯＥ内で広がる単一光線に組み合わせられてなる
ことを特徴とするヒトの目の熟視方向を得るための装置。
【請求項２】
前記内結合構成は複数の部分的反射面を含み、前記複数の部分的反射面は前記平行面に対してＬＯＥ内で傾斜して展開されてなる請求項１に記載のヒトの目の熟視方向を得るための装置。
【請求項３】
前記内結合構成は、前記平行面の１つに関連付けられた回折光学素子を含む請求項１に記載のヒトの目の熟視方向を得るための装置。
【請求項４】
前記光学センサは４つのコドラント・センサーを含む請求項１に記載のヒトの目の熟視方向を得るための装置。
【請求項５】
前記光学センサは複数の画素検出部を含み、前記処理システムは約１０４もの画素検出部からの出力を処理する請求項１に記載のヒトの目の熟視方向を得るための装置。
【請求項６】
前記内結合領域の方向から目を照射するために展開された照射配列を更に含む請求項１に記載のヒトの目の熟視方向を得るための装置。
【請求項７】
前記照射配列は前記ＬＯＥへ照射を導入するように構成され、その結果、前記照明が前記対の平行面で反射によって前記ＬＯＥ内で広がり、前記内結合構成によって目の方へ結合される請求項６に記載のヒトの目の熟視方向を得るための装置。
【請求項８】
透明材料から形成された照射導光素子をさらに含み、内面反射によって光をガイドするために対の平行面を持っており、前記照明光ガイド素子は前記ＬＯＥと重複する関係をとる際に展開され、前記照明配列は照明光ガイド素子へ照明を導入するように構成され、その結果、前記照明が対の平行面で反射によって前記照明光ガイド素子内で広がり、前記外結合構成によって目の方に結合され、当該外結合構成は前記照明光ガイド素子に関連づけられる請求項６に記載のヒトの目の熟視方向を得るための装置。
【請求項９】
前記照射配列は前記処理システムに関連付けられ、前記処理システムは、パルス持続時
間をもつ照射パルスを生成するために前記照射配列を作動し、前記処理システムは前記光学センサから得られた信号を処理し、前記光学センサから得られた信号は、前記パルス持続時間中に捕らえられた入射光に対応する請求項６に記載のヒトの目の熟視方向を得るための装置。
【請求項１０】
通過帯域スペクトルフィルターをさらに含み、与えられた範囲外の波長の光が前記光学センサに到達するのを妨害するように展開され、前記照射配列は、主として与えられた範囲の波長内の照射を生成する請求項６に記載のヒトの目の熟視方向を得るための装置。
【請求項１１】
前記与えられた範囲の波長は、電磁放射スペクトルの非可視域内にある請求項１０に記載のヒトの目の熟視方向を得るための装置。
【請求項１２】
前記照射配列は複数の別々に制御された照射画素を含み、前記処理システムは目の網膜の選択された領域に対応する方向に沿って選択的に照射するように前記照射画素を選択的に作動させる請求項６に記載のヒトの目の熟視方向を得るための装置。
【請求項１３】
目の熟視方向の進行中の追跡の間、網膜の前記選択された領域は目の視神経円板を含む領域である請求項１２に記載のヒトの目の熟視方向を得るための装置。
【請求項１４】
前記処理システムは、目の網膜からの反射に対応する強度分布のセンターを得るために前記光学センサからの信号を処理するように構成され、それによって、目の現在の熟視方向を決定する請求項１に記載のヒトの目の熟視方向を得るための装置。
【請求項１５】
前記処理システムは目の網膜の少なくとも１つの顕著な特徴の位置を検知するために、前記光学センサからの信号を処理するように構成され、それによって、目の現在の熟視方向を決定する請求項１に記載のヒトの目の熟視方向を得るための装置。
【請求項１６】
前記処理システムは目の網膜中の血管のパターンを追跡するために、前記光学センサからの信号を処理するように構成され、それによって、目の現在の熟視方向を決定する請求項１に記載のヒトの目の熟視方向を得るための装置。
【請求項１７】
平行にされた画像を前記ＬＯＥに導入するように前記ＬＯＥに結合された画像プロジェクタをさらに含み、その結果、前記平行にされた画像が前記ＬＯＥ内の内面反射によって広がり、前記内結合構成によって目に向かって前記ＬＯＥの外に結合される請求項１に記載のヒトの目の熟視方向を得るための装置。
【請求項１８】
前記画像プロジェクタは前記処理システムに関連付けられ、前記処理システムは、パルス持続時間をもつ照射パルスを生成するために前記画像プロジェクタを作動させ、前記処理システムは、前記パルス持続時間中に捕らえられた入射光に対応する光学センサから得られた信号を処理する請求項１７に記載のヒトの目の熟視方向を得るための装置。
【請求項１９】
前記処理システムは投影された画像の選択されたサブセクションに一致するように前記パルスを生成し、その結果、前記パルスが投影された画像の認知に寄与する請求項１８に記載のヒトの目の熟視方向を得るための装置。
【請求項２０】
ユーザーであるヒトの頭に対して装置を支持するための支持構成をさらに含み、その結果、ユーザーの第１の目に対向して前記ＬＯＥが展開され、
前記装置は、
（ａ）透明材料から形成され、内面反射によって光をガイドするために対の平行面を持
っている第２の目の導光光学素子（ＬＯＥ）であって、前記平行面の一つが、ユーザーの第２の目に対向して展開された第２の目の導光光学素子（ＬＯＥ）；
（ｂ）前記第２の目のＬＯＥに関連づけられた内結合構成であって、前記ＬＯＥの内部で広がるように内結合領域内の前記平行面の１つで入射光の広がりを内結合するように構成された内結合構成；
（ｃ）前記第２の目のＬＯＥに関連づけられた集光部であって、
前記ＬＯＥ内で広がる平行光線の組を捕らえられた光の集束ビームに変換するために構成された集光部；および
（ｄ）前記捕らえられた光を感知するために展開された第２の目の光学センサを備え、前記処理システムは第２の目の光学センサに電気的にさらに関連づけられ、ユーザーの目の現在の熟視方向を得るために、前記光学センサの両方からの信号を処理するように構成されてなる請求項１に記載のヒトの目の熟視方向を得るための装置。